(57)【特許請求の範囲】
【請求項１】
液体中に投入することにより同液体中に水素を含有させて水素含有液を生成する水素発生ユニットにおいて、
同水素発生ユニットは、
含水して水素を発生する水素発生剤と、
水と、
前記水を前記水素発生剤と反応しない非流出状態に保持する非流出状態保持手段と、を水素ガスの放出手段を備えた収容体に収容して構成すると共に、
前記非流出状態保持手段は、前記収容体外から所定量のエネルギーを付与することにより前記非流出状態の前記水を前記水素発生剤と反応可能な流出状態に変化させるものであり、
前記エネルギーの付与をトリガーとして、前記流出状態となった前記水を前記水素発生剤と反応させ、前記収容体内にて生成した水素を前記放出手段を介して放出することにより、前記液体の水素発生ユニット内への浸潤によらず前記水素含有液を生成すべく構成したことを特徴とする水素発生ユニット。
【発明の詳細な説明】
【技術分野】
【０００１】
本発明は、液体中に水素を含有させて水素含有液を生成する水素発生ユニットに関する。
【背景技術】
【０００２】
我々が日常的に摂取する水は、健康の基礎作りとして極めて重要な役割を果たしており、人々の間で健康志向が高まる中、飲用水への注目が更に高まっている。
【０００３】
従来より、このようなニーズに合致するような飲用水は種々提案されており、例えば、飲用水中に酸素を多量に溶存させた酸素水や、水素を溶存させた水素水が知られている。
【０００４】
特に、分子状水素を含有させた水素水は、生体内酸化ストレスの低下や、血中ＬＤＬの増加抑制など、健康に寄与する報告が種々なされている。
【０００５】
このような水素水は、水中に水素を溶存させることで生成されるのであるが、水素の入手や純粋な水素を水中に溶解させることは一般には困難である。
【０００６】
また、水中に溶存させた水素は、水素透過性の極めて低い容器を用いない限り時間と共に徐々に抜けてしまうため、水素水の調製後できるだけ速やかに飲用に供するのが望ましい。
【０００７】
そこで、一般家庭などにおいても手軽に水素水を調製できるよう、数cm程度の有底筒状容器の内部に水素発生剤を封入した水素添加器具が提案されている（例えば、特許文献１参照。）。
【０００８】
このような水素添加器具によれば、水を収容したペットボトル等の容器内に投入して密閉することで、水中に水素を含有させて水素水を生成できるとしている。
【先行技術文献】
【特許文献】
【０００９】
【特許文献１】特願２０１０−１５９９７９号公報
【発明の概要】
【発明が解決しようとする課題】
【００１０】
ところが、上記従来の水素添加器具は、水素発生剤を防湿包装袋から取出し、この水素発生剤を別途密閉容器に挿入し、さらに水素発生剤と反応させるための水を所定量添加して閉蓋するという作業が必要となる。
【００１１】
このような煩雑な作業は、特に高齢者など手先の細かな作業が不得手な者にとっては困難であり、より手軽に水素水を生成できる手段が望まれていた。
【００１２】
本発明は、斯かる事情に鑑みてなされたものであって、従来の水素添加器具に比して、水素を含有させた液体（以下、水素含有液という。）をより手軽に生成可能な水素発生ユニットを提供する。
【課題を解決するための手段】
【００１３】
上記従来の課題を解決するために、本発明に係る水素発生ユニットでは、（１）液体中に投入することにより同液体中に水素を含有させて水素含有液を生成する水素発生ユニットにおいて、同水素発生ユニットは、含水して水素を発生する水素発生剤と、水と、前記水を前記水素発生剤と反応しない非流出状態に保持する非流出状態保持手段と、を水素ガスの放出手段を備えた収容体に収容して構成すると共に、前記非流出状態保持手段は、前記収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記収容体内にて生成した水素を前記放出手段を介して放出することにより、前記液体の水素発生ユニット内への浸潤によらず前記水素含有液を生成すべく構成した。
【発明の効果】
【００１５】
本発明に係る水素発生ユニットによれば、液体中に投入することにより同液体中に水素を含有させて水素含有液を生成する水素発生ユニットにおいて、同水素発生ユニットは、含水して水素を発生する水素発生剤と、水と、前記水を前記水素発生剤と反応しない非流出状態に保持する非流出状態保持手段と、を水素ガスの放出手段を備えた収容体に収容して構成すると共に、前記非流出状態保持手段は、前記収容体外から所定量のエネルギーを付与することにより前記非流出状態の前記水を前記水素発生剤と反応可能な流出状態に変化させるものであり、前記エネルギーの付与をトリガーとして、前記流出状態となった前記水を前記水素発生剤と反応させ、前記収容体内にて生成した水素を前記放出手段を介して放出することにより、前記液体の水素発生ユニット内への浸潤によらず前記水素含有液を生成すべく構成したため、従来の水素添加器具に比して、水素含有液をより手軽に生成可能な水素発生ユニットを提供することができる。
【図面の簡単な説明】
【００２１】
【図１】水素発生ユニットを用いて水素含有液を生成している状態を示した説明図である。
【図２】水素発生ユニットの構成を示した説明図である。
【図３】水素発生ユニットの使用状態を示した説明図である。
【図４】他の実施形態に係る水素発生ユニットの構成を示した説明図である。
【図５】他の実施形態に係る水素発生ユニットの構成を示した説明図である。
【図６】他の実施形態に係る水素発生ユニットの構成を示した説明図である。
【発明を実施するための形態】
【００２２】
本発明は、液体中に投入することにより同液体中に水素を含有させて水素含有液を生成する水素発生ユニットに関するものである。
【００２３】
そして、本実施形態に係る水素発生ユニットに特徴的には、含水して水素を発生する水素発生剤と、水と、前記水を前記水素発生剤と反応しない非流出状態に保持する非流出状態保持手段と、を撥水性水素透過膜を備えた収容体に収容して構成すると共に、前記非流出状態保持手段は、前記収容体外から所定量のエネルギーを付与することにより前記非流出状態の水を前記水素発生剤と反応可能な流出状態に変化させるものであり、前記エネルギーの付与をトリガーとして、前記流出状態となった水を前記水素発生剤と反応させ、前記収容体内にて生成した水素を前記撥水性水素透過膜を介して放出することにより、前記液体の水素発生ユニット内への浸潤によらず前記水素含有液を生成すべく構成している。
【００２４】
ここで、水素を溶解させるための液体は特に限定されるものではないが、水やジュース、お茶等をはじめとする飲料や、注射・点滴等に使用する薬液など、ヒトに拘わらず生体に対して使用する液体物とすることができる。
【００２５】
また、水素発生剤は水分と接触することにより水素を発生するものであれば特に限定されるものではなく、また、混合物であっても良い。
【００２６】
水分と接触することにより水素を発生する混合物としては、例えば、水素よりイオン化傾向の高い金属又は金属化合物と、酸やアルカリなどの反応促進剤との混合物を挙げることができる。
【００２７】
また、好適に用いることのできる金属としては、例えば、鉄、アルミニウム、ニッケル、コバルト、亜鉛等を挙げることができ、好適な反応促進剤としては、例えば、各種酸のほか、水酸化カルシウム、酸化カルシウム、陰イオン交換樹脂、焼成カルシウム、酸化マグネシウム、水酸化マグネシウム等を用いることができる。
【００２８】
また、水素発生剤には、実用上必要な水素生成反応を阻害しない範囲において、必要に応じ適宜機能性を有する物質を添加しても良い。例えば、水との接触により吸熱反応を生じるような物質（例えば尿素や、これと同様の効果を生起する食品添加物に該当する物質。）を添加しておくことにより、水素生成反応に伴って発生する熱を抑制することもできる。
【００２９】
水は、水素発生剤から水素を生成可能なものであれば特に限定されるものではなく、例えば、純水や水道水、井戸水等を用いることができる。また、水は、水素含有液が生成不可能な程度に水素の発生を妨げるものでなければよく、何らかの物質が溶存しているものであっても良い。例えば、反応促進剤としての酸を溶存させておき、金属や金属化合物と反応させることで水を供給しつつ水素発生剤を構成して水素を発生させるようにしても良い。
【００３０】
非流出状態保持手段は、水を水素発生剤（水の添加と同時に水素発生剤を構成する場合には金属や金属化合物）と反応しない非流出状態に保持するための手段である。このような手段は物理的な構造のみならず、物性に由来するものであっても良い。
【００３１】
物理的な構造によって実現する非流出状態保持手段の一例としては、例えば、水を密閉収容して非流出状態とする可撓性の区画室によるものを挙げることができる。
【００３２】
そして、区画室には、所定量の外力が付与されることにより収容していた水を吐出して流出状態とする脆弱部を形成しておくことで、使用者が所望の際に水素発生の反応を開始させることができる。
【００３３】
また、物性によって実現する非流出状態保持手段の一例としては、例えば、水を凍結させておくことを挙げることができる。すなわち、凍結した水（氷）は、水素発生剤や金属化合物等と接触状態にあっても水素生成反応を開始することはないため、凍結した水自体を非流出状態保持手段として機能させることができる。
【００３４】
また、凍結に限らず、例えば寒天のように、流動性の極めて低い状態や固化状態と流動性の高い状態との間で熱により変化する高分子化合物を水に添加することで、ゲル化させた水自体を非流出状態保持手段として機能させるようにしても良い。すなわち、エネルギーの付与前の状態では水素発生剤に対して水素生成反応を惹起せず、エネルギーを付与することにより、水素含有液を生成可能な程度の水素生成反応を惹起可能な水分を水素発生剤に対して供給可能なゲル化剤を水に含ませて非流出状態保持手段を実現させても良い。
【００３５】
非流出状態保持手段に付与するエネルギーは、水を非流出状態から流出状態に変化可能なものであれば特に限定されるものではなく、例えば、力や熱、光を含む電磁波、音波等を挙げることができる。
【００３６】
特に、前述の区画室によって非流出状態保持手段を実現した場合には、エネルギーとして外力を加えることにより、水素生成反応のトリガーとして利用することができる。なお、前述の脆弱部はこの外力によって水を吐出可能な程度に形成しておくのは勿論である。
【００３７】
また、前述の凍結した水によって非流出状態保持手段を実現した場合には、エネルギーとして熱を加えることにより、水素生成反応のトリガーとして利用することができる。なお、電磁波等によって凍結した水を流出状態に変化させることも可能であるが、多くの場合熱運動により液体状になるのであって、本明細書においては熱を加えることと同義であると解釈すべきである。
【００３８】
これら水素発生剤や水、非流出状態保持手段は、収容体に収容されることで水素発生ユニットが形成される。この収容体は、前述の非流出状態保持手段に対して付与されるエネルギーを伝達可能な素材や構造を備えるようにしても良い。
【００３９】
すなわち、前述の区画室によって非流出状態保持手段を実現した場合には、収容体は区画室に外力を伝達可能な部位、例えば指先などで押圧した際に撓むことで収容体の壁部を介して区画室に外力を付与可能な素材や構成を挙げることができる。
【００４０】
また、前述の凍結した水によって非流出状態保持手段を実現した場合には、熱を伝達させたり電磁波等を透過させることで、凍結した水を流出状態に変化させることができる部位が設けられる。
【００４１】
また、水素発生剤や水、非流出状態保持手段は、必ずしも収容体と一体的に構成されなくとも良い。具体的な一例としては、水素発生剤や水、非流出状態保持手段を収容した袋（以下、水素生成構成体という。）と、同水素生成構成体を収容する収容体とをそれぞれ別体としつつ水素発生ユニットを構成することもできる。
【００４２】
すなわち、区画室によって非流出状態保持手段を実現したならば、水素生成構成体の区画室を指先などで押圧して水素発生剤に水を接触させ、水素生成反応が開始した水素生成構成体を収容体に収容して水素発生ユニットとして液体中に投入するようなケースを挙げることができる。
【００４３】
このような場合、水素生成構成体が、外力や熱等を非流出状態保持手段に伝達可能に構成されていれば、収容体自体にこのような伝達可能な部位を必ずしも設ける必要はない。ただし、水素生成構成体は収容体内に水素を放出可能に形成しておく必要がある。
【００４４】
また、収容体には、同収容体内部にて発生した水素を水素発生ユニット外へ放出させるための放出手段として、撥水性水素透過膜を備えている。
【００４５】
この撥水性水素透過膜は、水素発生ユニット外の液体が収容体内へ浸入するのを防止でき、且つ、収容体内部にて発生した水素を収容体外へ放出可能な素材にて形成されていれば良い。
【００４６】
また、さらに望ましくは、水素発生剤を構成する成分など、金属イオンや無機化合物、有機質を透過させないものが良い。
【００４７】
このような素材としては、例えば、防水透湿性素材（液体状の水の透過は阻止しつつも気体状の水を透過させる素材）や、半透膜、逆浸透膜、伸延PTFE等を挙げることができる。
【００４８】
撥水性水素透過膜を防水透湿性素材や、半透膜、逆浸透膜で構成することにより、放出手段を比較的安価に構築することができる。
【００４９】
また、伸延PTFEは所謂ゴアテックス（登録商標）の中心的役割を果たす素材の一つであり、液体状の水の透過は阻止しつつ、水蒸気や水素は透過できるのは勿論のこと、極めて優れた耐熱性を有しており、水素生成反応によって生じた反応熱で放出手段が変性してしまうことを堅実に防止することができる。
【００５０】
また、撥水性水素透過膜の液体と接触する側の表面には、液体との接触面積を増大させるために、微細な凹凸や毛状体を複数設けるようにしても良い。撥水性水素透過膜の表面に複数の微細な凹凸を設けたり、微細なブラシ状に形成することにより、液体と気泡との接触面積を拡大させることができ、より効率的に水素含有液を生成することができる。
【００５１】
ところで、放出手段は逆止弁の如き機械的な弁機構によって実現することも可能である。すなわち、発生させた水素の内圧により、液体の浸入を阻止する弁機構の付勢力に抗して瞬間的に開放させることにより、水素の気泡を収容体内から液体中へ放出することもで
きる。
【００５２】
しかしながら、液体に対する水素の溶解量は、一般に温度が低いほど多く、温度が高くなるに従い減少する。
【００５３】
水素生成反応は発熱を伴うことが多く、収容体内部の水素は比較的高い温度となっており、前述の弁機構を介して液体中へ高温の水素を気泡状態で放出しても、気泡が液体中を上昇してゆく間に水素が溶け込むのは困難である。
【００５４】
それ故、前述の特許文献１に記載されているような従来の水素添加器具では、同水素添加器具を液体中に投入して静置した状態にあっては、例え液体中に沈降した状態を保つことが可能であっても、水素が高濃度に溶解した水素含有液を得るのは困難であり、また、水素を高濃度に溶解させるためには水素発生後に十分な攪拌を行う必要がある。
【００５５】
また、弁機構を介しての液体中への水素気泡の放出では、その気泡の径が大きく、液体と気泡との界面における水素の接触面積が極めて小さいため、液体中への水素の溶解効率は低い。
【００５６】
一方、本実施形態に係る水素発生ユニットでは、放出手段として撥水性水素透過膜を用いることとしており、収容体内部にて発生した高温の水素は、収容体外の液体によって冷却された撥水性水素透過膜を通過する際に熱交換が行われ、十分に冷やされた状態で気泡として放出されることとなる。
【００５７】
従って、放出手段を弁機構にて実現した場合に比して、気泡の上昇中における液体中への水素の溶解を助長することができ、高濃度の水素を溶存させた水素含有液を容易に得ることができる。特に、水素発生後の攪拌の手間を軽減することができる。
【００５８】
また、極めて微細な孔を多数備えた微多孔フィルム素材を撥水性水素透過膜として使用すれば、同膜を介して液体側へ移行した水素が形成する気泡は極めて細かく、これによっても液体中への高濃度の水素溶存を期待することができる。
【００５９】
更に付言すれば、撥水性水素透過膜は機械的な逆止弁構造に比べ、素材の通過孔の大きさと性質によって、例えば水蒸気状態の微小水分子や水素のようなガス状分子を選択的に通過させるので、通過した水素ガス粒子は極めて微小で多数に及び、飲用水への溶解がはるかに容易である。撹拌せずとも、高濃度の水素ガス溶存を期待できる。なお、ここでは放出手段として撥水性水素透過膜の弁機構に対する有用性について述べたが、上記記載は放出手段として弁機構を採用することを阻害するものではない。従って、本明細書は放出手段として弁機構を採用することについても包含していると解釈すべきである。
【００６０】
このように、本実施形態に係る水素発生ユニットによれば、従来の水素添加器具に比して、水素含有液をより手軽に生成することができる。また、液体の水素発生ユニット内への浸潤によらず水素含有液を生成すべく構成しているため、水素発生ユニット内外における液体の流通に伴って水素発生剤の成分が液体へ漏出するおそれを可及的に抑制することができる。
【００６１】
以下、本実施形態に係る水素発生ユニットについて、図面を参照しながら説明する。
【００６２】
〔第１の実施形態〕
図１は、本第１の実施形態に係る水素発生ユニットＡを用いて水素含有液を生成している状態を示した説明図である。図１に示すように、調製容器１０内に収容した所定液体としての飲用水１１中に水素発生ユニットＡを投入することで、飲用水１１中に水素を含有させて水素含有液を調製している。
【００６３】
調製容器１０は、炭酸水等を市販する際に用いられるような耐圧性を有する500ml容量のペットボトル容器であり、中空状の容器本体１０ａと、同容器本体１０ａの上部開口に螺合して気密密閉するスクリューキャップ１０ｂとで構成している。なお、本実施形態では容器としてペットボトル(ポリエチレンテレフタレート製容器）を用いているがこれに限定されるものではなく、ガラスやアルミ素材にて形成された容器を用いても良い。
【００６４】
調製容器１０内には飲用水１１をボトルネック部近傍（調製容器１０の内容積の50分の48〜250分の249）まで収容して液相部とする一方、その上部を気溜まり部１２として気相部を形成している。
【００６５】
図１において水素発生ユニットＡは既に水素生成反応が開始された状態を示しており、その表面からは水素を豊富に含んだ気泡１３が気溜まり部１２へ向けて立ち上っている。すなわち、気泡１３を飲用水１１中で上昇させつつ飲用水１１中に水素を溶解させて水素含有液を調製している。
【００６６】
図２は水素発生ユニットＡの構成を示した説明図である。図２に示すように水素発生ユニットＡは、収容体２０の内部に水素発生体２１と反応水２２と区画室２３とを収容して構成している。
【００６７】
収容体２０は、チューブ状の逆浸透膜（ＲＯ膜）の両端を封止して密封された袋状に形成したものであり、その略全体が撥水性水素透過膜として機能する。
【００６８】
水素発生体２１は、流出状態となった反応水２２と接触することで水素生成反応を行う部位であり、内部には水素発生剤が収容されている。なお、本実施形態において水素発生剤は、アルミニウムと水酸化カルシウムとを主成分として含有する混合粉末としている。
【００６９】
反応水２２は、水素発生体２１（水素発生体２１内の水素発生剤）と接触させて水素生成反応を生起させるための水であり、本実施形態においては純水を用いている。また、図２において反応水２２は、区画室２３内に収容されており、非流出状態に保持されている。
【００７０】
区画室２３は、反応水２２を水素発生体２１内の水素発生剤と反応しない非流出状態に保持するための非流出状態保持手段として機能する部位であり、収容体２０の内部空間を区画シール部２３ａで水密状に区画することで形成している。
【００７１】
また、区画シール部２３ａの一部には、水密性を保ちながらもそのシール強度を弱めて形成した脆弱部２３ｂが設けられている。
【００７２】
この脆弱部２３ｂは、図３に示すように、収容体２０の区画室２３部分を使用者Ｐが指等により押圧した際の圧力で収容体２０内において区画室２３の内外を連通可能なシール強度で形成しており、上述のような外力が付与されることにより、反応水２２を脆弱部２３ｂを介して吐出して流出状態とすることができる。
【００７３】
このようにして水素生成反応を開始させた水素発生ユニットＡを、図１にて示したように、調製容器１０内に収容された飲用水１１中に投入することで、水素含有液の生成を容易且つ手軽に行うことができる。
【００７４】
特に、前述の特許文献１にて示された水素添加器具では、水素生成反応を生起させるに際し、水素発生剤に対してわざわざ所定量計量した水を添加する作業が必要であったが、本実施形態にかかる水素発生ユニットＡによれば、このような計量作業を必要とすることなく、手軽に水素生成反応を開始させることができる。
【００７５】
さらに、収容体２０の表面は半透膜（撥水性水素透過膜）にて形成しているため、飲用水１１の収容体２０内への浸入や、水素発生剤の反応生成物等が収容体２０外に流出することを堅実に防止することができる。
【００７６】
しかも、発生させた水素は、半透膜を介して冷却され、細かな気泡となって飲用水１１中に放散されることとなるため、液体に対する水素溶解度の温度依存性の観点からも効率良く高濃度の水素含有液を調製することができる。
【００７７】
次に、水素発生ユニットＡを用いて実際に行った水素含有液の調製試験について述べる。
【００７８】
まず、RO(Reverse Osmosis)水の生成に用いられている逆浸透膜(RO膜)を筒状に加工して前述の水素発生体を収容すると共に、内部に反応水を収容した小型のビニール袋を収容し、両端開口部をシールして密封した。なお、小型のビニール袋は区画室２３として機能するものであり、区画シール部２３ａ及び脆弱部２３ｂに相当する部位が設けられている。また、両端開口部のシールは、熱溶着によって行うものであっても良く、ウレタン或いは水に不溶性の接着剤等によって密封するものであっても良い。
【００７９】
このようにして形成した水素発生ユニットＡを指先で押圧して区画室２３をつぶすことにより破水させ、純水を充填した500ml容量のペットボトル中に投入して沈降させた後閉蓋した。
【００８０】
水素発生ユニットＡの表面からは５〜10分ほどで気泡が発生し、この気泡は徐々にペットボトルの上部に向かって立ち上った。また、ペットボトルを把持すると硬くなっており、内圧が高まっていることが確認された。
【００８１】
12時間経過後、ペットボトルの蓋を開け、メチレンブルー試薬を用いて溶存水素ガス濃度の測定を複数回行ったところ、6.9〜7.4ppm、平均としては7.1ppmという値が得られた。このことから、本実施形態に係る水素発生ユニットＡによれば、従来の水素添加器具に比して、水素含有液をより手軽に生成可能であることが示された。
【００８２】
また、水素含有液を質量分析装置に供して溶存夾雑物の確認を行ったが、同水素含有液中には、アルミニウムやカルシウムの溶出は検出されなかった。また、水素発生ユニットＡに由来する陽イオンや陰イオンも検出されず、水素イオン濃度も中性のままであった。
【００８３】
このように、本実施形態に係る水素発生ユニットＡによれば、金属を主要な成分とする水素発生体に反応水を添加して水素ガスを発生させるに際し、水素ガス或いは水以外の金属元素等が飲用水などの液体（所謂、生体適応液等）中へ向けて透過できない半透膜を利用することにより、従来の方法よりもはるかに安全かつ簡便に、高濃度の水素ガスを含有した水素含有液を生成させることができる。特に、今後の人類の健康維持に欠かせない医療ガスである水素を、より広く利用できるようにしているため、医療、産業状の利用価値は計り知れないものと言える。
【００８４】
また、試験結果についての言及は省略するが、半透膜を用いた水素発生ユニットＡを液体で充密させた容器に入れることにより、半透膜を介して液体を水素発生ユニットＡ内に浸入させ、区画室の押圧作業すらも必要とすることなく、水素生成反応を生起させることもできる。
【００８５】
上述してきた本第１実施形態は、以下のような水素発生ユニットや方法を具体的に述べたものであると言える。
（1-1）半透膜にて形成され水素発生体を収容した水素発生ユニット。
（1-2）水素発生体を収容するための、半透膜を素材に用いた水素発生ユニット。
（1-3）水素発生体を収容する半透膜よりなる水素発生ユニットであって、弁などの機械
的機構によらず半透膜のみにより水或いは水素ガスを通過させる水素発生ユニット。
（1-4）水素発生体を収容し、発生した水素ガスを水素発生ユニット内から水素発生ユニット外へ透過させるための半透膜の素材としてRO(Reverse Osmosis)水を作るための逆浸透膜(RO膜)を用いた水素発生ユニット。
（1-5）水素発生体を収容する半透膜よりなる水素発生ユニット内で水素ガスを発生させ、液体を充填した容器内にこの水素発生ユニットを投入することにより、発生した水素ガスによる容器内圧力の上昇によって、水素ガスを液体内に容易かつ高濃度に含有させる方法。
（1-6）水素発生体を収容し、発生した水素ガスを水素発生ユニット内から水素発生ユニット外へ透過させるための素材として半透膜を用いた水素発生ユニット。
（1-7）水素発生体を収容し、水素ガスを発生させるための反応水を、液体を満たした容器内の液体から、容器内に収容した水素発生ユニットの内部へ、同水素発生ユニットの収容体の一部又は全部を構成する半透膜を透して液体を浸透させ、水素発生体に接触させて反応させることにより水素ガスを発生させる方法。
（1-8）水素発生体を収容し、発生した水素ガスを水素発生ユニット内から水素発生ユニット外へ透過させるための素材としての半透膜を備えた水素発生ユニットにおいて、半透膜は、液体としては水分子、またガス状分子としては水素分子を透過させ、かつ液体に溶解している水分子以外の金属イオンや無機化合物、有機質を透過させないものであることを特徴とする水素発生ユニット。
（1-9）外力を作用させて破水させることにより、非流出状態に保持していた反応水を流出状態として拡散させうる区画室を備えた水素発生ユニット。
（1-10）外力を作用させて破水させることにより、非流出状態に保持していた反応水を流出状態として拡散させうる区画室を収容体又は通水可能な付属器具内に内封させておき、液体を充密させた容器に投入する前にその区画室内の反応水を破水させ、収容体内にて水素ガスを発生させ、半透膜を介して水素ガスを液体に拡散せしめ、安全に水素ガスを液体に含有させる方法。
（1-11）水素発生体中に収容された水素発生剤を構成する成分として、食品添加物である金属アルミニウム、酸化カルシウム、又は水酸化カルシウム等や、マグネシウム、亜鉛、鉄、コバルト、ニッケル、リチウム、ナトリウム、カリウム、ストロンチウム、バリウム、リン、糖類、芳香族炭化水素、アルコールのいずれかを含み、これに水を反応させることにより、水素ガスを液体中に溶存させる方法。
【００８６】
なお、本実施形態とは逆に、水素発生剤の方を脆弱な素材で隔離し、外部からのエネルギーで、その素材の外側あるいは離れた位置にある水と反応させるように構成しても良い。
【００８７】
〔第２の実施形態〕
次に、第２の実施形態に係る水素発生ユニットＥについて説明する。本実施形態では、水素発生ユニットＥについて特に図示しないが、この水素発生ユニットＥは、水素発生ユニットＡと略同様の構成を備えているものの、収容体２０を防水透湿性素材、より具体的にはゴアテックス（登録商標）に用いられる伸延PTFEにて形成している点、及び区画室２３と同区画室２３に保持される反応水２２を備えていない点で構成を異にしている。
【００８８】
このようにして形成した水素発生ユニットＥについても、図１にて示したように、調製容器１０内に収容された飲用水１１中に投入することで、収容体２０を介して飲用水１１中の水を水素発生ユニットＥ内に浸入させて水素生成反応を惹起させることができ、水素含有液の生成を容易且つ手軽に行うことができる。
【００８９】
次に、水素発生ユニットＥを用いて実際に行った水素含有液の調製試験について述べる。
【００９０】
まず、伸延PTFE膜を筒状に加工して前述の水素発生体を収容し、両端開口部をシールして密封した。なお、両端開口部のシールは、熱溶着によって行うものであっても良く、ウレタン或いは水に不溶性の接着剤等によって密封するものであっても良い。
【００９１】
このようにして形成した水素発生ユニットＥを、純水を充填した500ml容量のペットボトル中に投入して沈降させた後閉蓋した。
【００９２】
水素発生ユニットＥの表面からは２〜３時間ほどで気泡が発生し、この気泡は徐々にペットボトルの上部に向かって立ち上った。また、ペットボトルを把持すると硬くなっており、内圧が高まっていることが確認された。
【００９３】
12時間経過後、ペットボトルの蓋を開け、メチレンブルー試薬を用いて溶存水素ガス濃度の測定を複数回行ったところ、6.9〜7.4ppm、平均としては7.1ppmという値が得られた。このことから、本実施形態に係る水素発生ユニットＥによれば、従来の水素添加器具に比して、水素含有液をより手軽に生成可能であることが示された。
【００９４】
また、水素含有液を質量分析装置に供して溶存夾雑物の確認を行ったが、同水素含有液中には、アルミニウムやカルシウムの溶出は検出されなかった。また、水素発生ユニットＥに由来する陽イオンや陰イオンも検出されず、水素イオン濃度も中性のままであった。
【００９５】
このように、本実施形態に係る水素発生ユニットＥによれば、金属を主要な成分とする水素発生体に反応水を添加して水素ガスを発生せるに際し、水素ガス或いは水以外の金属元素等が飲用水などの液体（所謂、生体適応液等）中へ向けて透過できない撥水通気性素材を利用することにより、従来の方法よりもはるかに安全かつ簡便に、高濃度の水素ガスを含有した水素含有液を生成させることができる。特に、今後の人類の健康維持に欠かせない医療ガスである水素を、より広く利用できるようにしているため、医療、産業状の利用価値は計り知れないものと言える。
【００９６】
なお、本実施形態では、区画室２３及び反応水２２を備えない例について言及したが、これらを備えるようにしても良いのは勿論である。
【００９７】
上述してきた本第２実施形態は、以下のような水素発生ユニットや方法を具体的に述べたものであると言える。
（2-1）防水透湿性素材又は撥水通気性素材にて形成した収容体に水素発生体を収容して形成した水素発生ユニット。
（2-2）水素発生体を収容し、発生した水素ガスを水素発生ユニット内から水素発生ユニット外へ透過させるための防水透湿性素材として、ゴアテックス（登録商標）素材を用いた水素発生ユニット。
（2-3）水素発生体を収容し、発生した水素ガスを水素発生ユニット内から水素発生ユニット外へ透過させるための防水透湿性素材を用いる場合、水蒸気の透過性を水素発生ユニット外から水素発生ユニット内への方向性を持たせるように防水透湿性素材を袋状にした水素発生ユニット。
（2-4）水素発生体を収容し、発生した水素ガスを水素発生ユニット内から水素発生ユニット外へ透過させるための防水透湿性素材を用いる場合、水蒸気の透過性を水素発生ユニット内から水素発生ユニット外への方向性を持たせるように防水透湿性素材を袋状にした水素発生ユニット。
（2-5）水素発生体を収容する防水透湿性素材又は撥水通気性素材よりなる水素発生ユニットを、液体を充填した容器内に投入した状態で水素ガスを発生させることにより、防水透湿性素材又は撥水通気性素材を透して液体中に拡散した水素ガスによる容器内圧力の上昇によって、水素ガスを液体内に容易かつ高濃度に含有させる方法。
（2-6）水素発生体を収容し、水素ガスを発生させるための反応水を、容器内に満たされた液体から、容器内に投入されている水素発生ユニットの内部へ、同水素発生ユニットの少なくとも一部を構成する素材である防水透湿性素材を介して水蒸気の状態で侵入させ、水素発生体に接触し反応させることによって水素ガスを発生させる方法。
（2-7）水素発生体を収容し、発生した水素ガスを水素発生ユニット内から水素発生ユニット外へ透過させるための素材としての防水透湿性素材を備えた水素発生ユニットにおいて、防水透湿性素材は、ガス状分子としては水素分子と水蒸気とを透過させ、かつ液体に溶解している金属イオンや無機化合物、有機質を透過させないものであることを特徴とする水素発生ユニット。
（2-8）外力を作用させて破水させることにより、非流出状態に保持していた反応水を流出状態として拡散させうる区画室を収容体又は通水可能な付属器具内に内封させておき、液体を充密させた容器に投入する前にその区画室内の反応水を破水させ、収容体内にて水素ガスを発生させ、防水透湿性素材を介して水素ガスを液体に拡散せしめ、安全に水素ガスを液体に含有させる方法。
（2-9）水素発生剤を収容する収容体の一部又は全部を、例えばゴアテックスなどの防水透湿性素材或いは撥水通気性素材で形成した水素発生ユニットを、液体を充密させた容器内に入れ、水素発生ユニット内において発生した水素によって液体を充密させた容器内の圧力を上昇させ、その圧力によって水素ガスを高濃度で溶解させる方法において、液体を充密させた容器内の圧力と、防水透湿性素材或いは撥水通気性素材に生じる浸透圧を拮抗させ、防水透湿性素材或いは撥水通気性素材内外の圧力差を小さくすることによって、防水透湿性素材或いは撥水通気性素材を透した水素ガスあるいは水蒸気の流通を安全に可能とする方法。
（2-10）水素発生体中に収容された水素発生剤を構成する成分として、食品添加物である金属アルミニウム、酸化カルシウム、又は水酸化カルシウム等や、マグネシウム、亜鉛、鉄、コバルト、ニッケル、リチウム、ナトリウム、カリウム、ストロンチウム、バリウム、リン、糖類、芳香族炭化水素、アルコールのいずれかを含み、これに水を反応させることにより、水素ガスを液体中に溶存させる方法。
【００９８】
〔第３の実施形態〕
次に、第３の実施形態に係る水素発生ユニットＢについて図４を参照しながら説明する。図４は、本実施形態に係る水素発生ユニットＢの一部を切欠して示した説明図である。なお、以下の説明において、前述の水素発生ユニットＡと同様の構成については同じ符号を付して説明を省略する場合がある。
【００９９】
図４に示すように水素発生ユニットＢは、水素発生ユニットＡと略同様の構成を備えているが、反応水３０を凍結させることにより、この凍結させた反応水３０自体を非流出状態保持手段として機能させている点で構成を異にしている。
【０１００】
具体的に水素発生ユニットＢは、収容体２０内に水素発生体３１を収容して構成している。
【０１０１】
水素発生体３１は、少なくとも水素が透過可能に構成された発生剤収容袋３１ａ内に、粉末状の水素発生剤３１ｂを封入して構成している。
【０１０２】
発生剤収容袋３１ａは、収容体２０内で水素発生剤３１ｂが散逸するのを防止する役割を果たすものであり、本実施形態では不織布にて形成している。
【０１０３】
水素発生剤３１ｂは、図４の一部拡大図に示すように、アルミニウム粉末３３と、水酸化カルシウム粉末３４とを含んでおり、液体状の水が供給されることにより、水素生成反応を生起可能に構成している。
【０１０４】
そして、本実施形態に係る水素発生ユニットＢに特徴的には、更に水素発生剤３１ｂ中に、反応水３０を氷結させて形成した氷粒３５を混在させている。
【０１０５】
従って、水素発生ユニットＢ（水素発生剤３１ｂ）が反応水３０の凝固点以下の温度、例えば冷凍庫内等の環境下にあっては、反応水３０は非流出状態に保持されることとなり、水素生成反応は生起されない。
【０１０６】
また、水素発生ユニットＢを冷凍庫内から出して、常温雰囲気下に晒したり、手などによって暖めたり、飲用水１１中に投入されるなどして、氷粒３５にエネルギーとしての熱が与えられると、氷粒３５は氷解して反応水３０が流出状態に変化し、アルミニウム粉末３３や水酸化カルシウム粉末３４と反応して水素が生成されることとなる。
【０１０７】
このように構成された水素発生ユニットＢによっても、従来の水素添加器具に比して、水素含有液をより手軽に生成することができる。
【０１０８】
次に、水素発生ユニットＢを用いて実際に行った水素含有液の調製試験について述べる。
【０１０９】
まず、ゴアテックスや伸延PTFE膜等の防水透湿性素材膜を筒状に加工して前述の水素発生体３１（水素ガス生成反応に十分な量の水を氷結させて形成した氷を混合したもの）を収容し、凍結温度条件下にて両端開口部をシールして密封した。なお、両端開口部のシールは、熱溶着によって行うものであっても良く、ウレタン或いは水に不溶性の接着剤等によって密封するものであっても良い。
【０１１０】
このようにして形成した水素発生ユニットＢを例えば冷凍庫から取出し、純水を充填した500ml容量のペットボトル中に投入して沈降させた後閉蓋した。
【０１１１】
水素発生ユニットＢの表面からは10〜20分ほどで気泡が発生し、この気泡は徐々にペットボトルの上部に向かって立ち上った。また、ペットボトルを把持すると硬くなっており、内圧が高まっていることが確認された。
【０１１２】
12時間経過後、ペットボトルの蓋を開け、メチレンブルー試薬を用いて溶存水素ガス濃度の測定を複数回行ったところ、6.8〜7.4ppm、平均としては7.2ppmという値が得られた。このことから、本実施形態に係る水素発生ユニットＢによれば、従来の水素添加器具に比して、水素含有液をより手軽に生成可能であることが示された。
【０１１３】
また、水素含有液を質量分析装置に供して溶存夾雑物の確認を行ったが、同水素含有液中には、アルミニウムやカルシウムの溶出は検出されなかった。また、水素発生ユニットＢに由来する陽イオンや陰イオンも検出されず、水素イオン濃度も中性のままであった。
【０１１４】
このように、本実施形態に係る水素発生ユニットＢによれば、水素生成反応に必要な量の水分を凍結状態で水素発生剤に混入させ、使用時に解凍温度にて液体を充密させた容器に投入して密封し、解凍されて流出状態となった水分（反応水）と水素発生剤とを反応させることにより、使用時に容器内に投入した水素発生ユニットより水素ガスを発生させ、半透膜や防水透湿性素材膜、撥水通気性素材膜を介して水素ガスを液体中に拡散させることで、安全に、かつ簡便に水素ガスを液体中に含有させることができる。すなわち、従来の方法よりもはるかに安全でかつ簡便に、高濃度水素ガスを含有した水素含有液を調製することができるため、今後の人類の健康に欠かせない医療ガスである水素をより広く利用できることとなり、医療、産業上の利用価値は計り知れないと言える。
【０１１５】
なお、本実施形態では、アルミニウム粉末３３や水酸化カルシウム粉末３４と共に氷粒３５を混合して水素発生剤３１ｂを調製したがこれに限定されるものではない。例えば、前述の氷粒３５を含まない水素発生体２１と、水素生成反応に必要な量の水を氷結させて形成した氷塊とを収容体２０内に別体に収容しておくようにしても良い。このような構成によっても、氷塊が解けて反応水が流出状態となることにより、水素生成反応を惹起させることができる。
【０１１６】
上述してきた本第３実施形態は、以下のような水素発生ユニットや方法を具体的に述べたものであると言える。
（3-1）水と反応することによって水素ガスを発生する水素発生剤中に、凍結水を凍結温度にて含有させた水素発生ユニット。
（3-2）水と反応することによって水素を発生しうる金属等を含む水素発生剤に、水素を発生させるに足る水分を、冷凍温度すなわち凍結状態で混入させた水素発生ユニット。
（3-3）水と反応することによって水素を発生しうる金属等を含む水素発生剤に、水素を発生させるに足る水分を吸収しかつゆっくりと漏出させる不織布等でできた吸水性の素材を、凍結状態で混入させた水素発生ユニット。
（3-4）水と反応することによって水素を発生しうる金属等を含む水素発生剤に、水素を発生させるに足る凍結させた水分を混在させ、使用時に解凍温度にて、液体を充密させた容器に入れて密封閉蓋し、解凍により流出状態となった水素発生剤中の反応水と、水と反応することによって水素を発生しうる金属等の成分とを反応させる方法。
（3-5）水と反応することによって水素を発生しうる金属等を含む水素発生剤に、水素を発生させるに足る氷結させた水分をビニール素材などの容易に破水させることができる素材（区画室）に密封して混在させ、使用前に解凍温度にて破水させ、液体を充密させた容器に入れて密封閉蓋し、解凍により流出状態となった水素発生剤中の反応水と、水と反応することによって水素を発生しうる金属等の成分とを反応させる方法。
【０１１７】
なお、本実施形態では、非流出状態保持手段として水を凍結させることにより実現したが、前述のように、流動性の極めて低い状態や固化状態であって水素発生剤に水素生成反応を惹起させない状態（非流出状態）と、流動性が高く水素発生剤に水素生成反応を惹起させうる状態（流出状態）との間でエネルギーの付与により変化させることのできるゲル化剤等を用いて非流出状態保持手段を実現しても良い。
【０１１８】
〔第４の実施形態〕
次に、第４の実施形態に係る水素発生ユニットＣについて、図５を参照しながら説明する。図５は、本実施形態に係る水素発生ユニットＣの構成を示した説明図である。
【０１１９】
水素発生ユニットＣは、反応水２２を収容した非流出状態保持手段としての区画室２３と、水素発生体２１とを備える小袋状の水素生成構成体４０を、樹脂にて形成した略スピッツ管状の収容体４１内に収容して形成している。
【０１２０】
水素生成構成体４０は、前述の水素発生ユニットＡと略同様の構成を備えているが、水素発生体２１や区画室２３を内包する袋体を撥水性水素透過膜に限定せず、水素発生体２１からの発熱に耐えうる所定の樹脂にて形成し、水素発生体収容袋４０ａとしている。
【０１２１】
水素発生体収容袋４０ａには、水素生成反応に伴って生じた水素を、水素発生体収容袋４０ａの内部から収容体４１内に放出させるための細孔部４０ｂが設けられており、同細孔部４０ｂに穿設された複数の細孔を介して円滑に水素を放散可能としている。
【０１２２】
収容体４１は、樹脂にて形成した有底管状の収容体本体４１ａと、同収容体本体４１ａの上部開口を閉蓋する収容体蓋体４１ｂとで構成している。
【０１２３】
収容体本体４１ａは、水素発生ユニットＣを液体中に投入するに際し、水素生成構成体４０を収容するための部位である。
【０１２４】
収容体蓋体４１ｂは、収容体本体４１ａの上部開口に嵌合可能に形成された略筒状の部材であり、略中央に孔部４１ｃを備えている。
【０１２５】
また、孔部４１ｃの上端部には撥水性水素透過膜を張設して形成した透過膜部４１ｅが形成されており、収容体４１内部の水素を収容体４１外へ放散可能としている。
【０１２６】
そして、このような構成を備える水素発生ユニットＣによれば、水素含有液の生成にあたり、まず、水素生成構成体４０の区画室２３を押圧して内包された反応水２２を流出状態となし、水素発生体２１に接触させて水素生成反応を生起させる。
【０１２７】
次いで、水素生成反応を開始させた水素生成構成体４０を収容体本体４１ａ内に収容し、収容体蓋体４１ｂで閉蓋して液体中へ投入する。
【０１２８】
すると、水素生成構成体４０内にて発生した水素は、細孔部４０ｂを介して収容体４１内に貯溜することとなる。
【０１２９】
収容体４１内の水素は、その内圧の高まりに応じて透過膜部４１ｅから徐々に放出されることとなり、液体に水素を溶存させて水素含有液が生成する。
【０１３０】
このように、本実施形態に係る水素発生ユニットＣによっても、従来の水素添加器具に比して、反応水２２を計量等する手間を可及的省くことができ、水素含有液をより手軽に生成することができる。
【０１３１】
〔第５の実施形態〕
次に、第５の実施形態に係る水素発生ユニットＤについて、図６を参照しながら説明する。図６は、本実施形態に係る水素発生ユニットＤの構成を示した説明図である。
【０１３２】
水素発生ユニットＤは、有底有蓋略筒状に形成された収容体５０と、同収容体５０の内部に収容された水素発生体２１とで構成している。
【０１３３】
収容体５０は、同収容体５０の下部を構成する下筒部５１と、上部を構成する上筒部５２とを備えており、下筒部５１と上筒部５２との間には浮子部５３が介設されている。
【０１３４】
下筒部５１は上部開口を有する有底筒状の部材であり、その内部に水素発生体２１を収容すべく構成している。
【０１３５】
また、下筒部５１の底部外面には、収容体５０を液体中で沈降させるための錘として機能する沈子部５１ａが配設されている。
【０１３６】
上筒部５２は、下部開口を有する有蓋筒状の部材であり、その素材は指先の力などにより容易に変形できるよう、シリコンなどの弾力性を有する柔らかい素材にて形成している。
【０１３７】
また、上筒部５２の内部には、略漏斗状の隔壁部５２ａを配設して区画し、その上方を反応水２２を収容して非流出状態に保持するための非流出状態保持手段として機能する区画室２３としている。
【０１３８】
また、下方へ向けて狭窄させた隔壁部５２ａの先端部には、区画室２３内に収容した反応水２２を非流出状態としつつも、指先などによる区画室２３（上筒部５２）への力により破断して流出状態とする脆弱部５２ｂが形成されている。
【０１３９】
浮子部５３は、発生させた水素によって浮き輪状に膨張する部位であり、図６（ｂ）に示すように、浮子部５３の内周に沿って周回りに形成したスリット部５３ａの上縁を上筒部５２の下部開口周縁に連結し、スリット部５３ａの下縁を下筒部５１の上部開口周縁に連結して形成している。なお、図６（ａ）において浮子部５３は、水素生成反応を行わせる前のしぼんだ状態を示している。
【０１４０】
また、浮子部５３は、撥水性水素透過膜にて形成しており、浮子部５３内に貯溜された水素を収容体５０外へ放出可能としている。
【０１４１】
そして、このような構成を備える水素発生ユニットＤによれば、水素含有液の生成にあたり、まず、上筒部５２の区画室２３を押圧して内包された反応水２２を流出状態となし、水素発生体２１に接触させて水素生成反応を生起させて液体中へ投入する。
【０１４２】
すると、水素発生ユニットＤは、下筒部５１に設けられた沈子部５１ａにより、液体中を沈降し、例えば図１にて示した調製容器１０内において底部に到達する。
【０１４３】
収容体５０内にて発生した水素は、図６（ｂ）に示すようにスリット部５３ａを介して浮子部５３内に貯溜され、浮子部５３を形成する撥水性水素透過膜を介して気泡１３が生成され液体中へ徐々に放散される。すなわち、液体に水素を溶存させて水素含有液が生成する。
【０１４４】
また、これと共に浮子部５３は徐々に膨張して浮き輪状となり、水素発生ユニットＤを浮揚させる浮力を生じさせる。
【０１４５】
これにより、水素発生ユニットＤは、調製容器１０内において徐々に上部へ向かうこととなる。
【０１４６】
それ故、調製容器１０を開封して水素含有液を調製容器１０内から取り出す際には、水素発生ユニットＤが調製容器１０の上部開口にまで浮揚しているため、調製容器１０内から水素発生ユニットＤを容易に取出すことができる。
【０１４７】
上述してきたように、本実施形態に係る水素発生ユニットによれば、液体中に投入することにより同液体中に水素を含有させて水素含有液を生成する水素発生ユニットにおいて、同水素発生ユニットは、含水して水素を発生する水素発生剤と、水と、前記水を前記水素発生剤と反応しない非流出状態に保持する非流出状態保持手段と、を撥水性水素透過膜を備えた収容体に収容して構成すると共に、前記非流出状態保持手段は、前記収容体外から所定量のエネルギーを付与することにより前記非流出状態の水を前記水素発生剤と反応可能な流出状態に変化させるものであり、前記エネルギーの付与をトリガーとして、前記流出状態となった水を前記水素発生剤と反応させ、前記収容体内にて生成した水素を前記撥水性水素透過膜を介して放出して前記水素含有液を生成すべく構成したため、従来の水素添加器具に比して、水素含有液をより手軽に生成可能な水素発生ユニットを提供することができる。
【０１４８】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【０１４９】
１１  飲用水
２０  収容体
２１  水素発生体
２２  反応水
２３  区画室
２３ｂ  脆弱部
３５  氷粒
Ａ  水素発生ユニット
Ｂ  水素発生ユニット
Ｃ  水素発生ユニット
Ｄ  水素発生ユニット
Ｐ  使用者
【図１】
0005888634.tif 000002
【図２】
0005888634.tif 000003
【図３】
0005888634.tif 000004
【図４】
0005888634.tif 000005
【図５】
0005888634.tif 000006
【図６】
0005888634.tif 000007